(57)【要約】【課題】殺生物性の防腐剤の使用量を低減させた場合であってもインクに防腐性能を持たせたインクジェット記録用水系インク組成物および色材液を提供する。【解決手段】本発明に係るインクジェット記録用水系インク組成物および色材液は、フェノール骨格を有するビニルモノマーと、前記フェノール骨格を有するビニルモノマー以外の水溶性ビニルモノマーとを構成単位に含む水溶性樹脂と、水溶性有機溶剤と、水と、を含むことを特徴とする。【選択図】なし【特許請求の範囲】
【請求項１】
フェノール骨格を有するビニルモノマーと、前記フェノール骨格を有するビニルモノマー以外の水溶性ビニルモノマーとを構成単位に含む水溶性樹脂と、
水溶性有機溶剤と、
水と、を含む、インクジェット記録用水系インク組成物。
【請求項２】
さらに色材を含み、
前記色材は、顔料および染料からなる群より選択される少なくとも１種である、請求項１に記載のインクジェット記録用水系インク組成物。
【請求項３】
前記水溶性有機溶剤は、水−オクタノール分配係数が０．５以上２．５以下である、請求項１または請求項２に記載のインクジェット記録用水系インク組成物。
【請求項４】
前記インクジェット記録用水系インク組成物中の遊離１価アルカリ金属イオン量が、前記フェノール骨格を有するビニルモノマー含有量に対して２５ｍｏｌ％以下である、請求項１ないし請求項３のいずれか１項に記載のインクジェット記録用水系インク組成物。
【請求項５】
ｐＨが７．０以上１０．０以下である、請求項１ないし請求項４のいずれか１項に記載のインクジェット記録用水系インク組成物。
【請求項６】
前記水溶性樹脂の含有量が、ビニルフェノールモノマー換算で０．００５質量％以上１．０質量％以下である、請求項１ないし請求項５のいずれか１項に記載のインクジェット記録用水系インク組成物。
【請求項７】
前記水溶性有機溶剤の含有量が、１０．０質量％以下である、請求項１ないし請求項６のいずれか１項に記載のインクジェット記録用水系インク組成物。
【請求項８】
前記水溶性樹脂以外の殺生物性の抗菌剤または防かび剤を、１質量％を超えて含まない、請求項１ないし請求項７のいずれか１項に記載のインクジェット記録用水系インク組成物。
【請求項９】
フェノール骨格を有するビニルモノマーと、前記フェノール骨格を有するビニルモノマー以外の水溶性ビニルモノマーとを構成単位に含む水溶性樹脂と、
水溶性有機溶剤と、
水と、
色材と、を含む、色材液。
【発明の詳細な説明】
【技術分野】
【０００１】
本発明は、インクジェット記録用水系インク組成物および色材液に関する。
【背景技術】
【０００２】
インクジェット記録方法は、比較的単純な装置で高精細な画像の記録が可能であり、各方面で急速な発展を遂げている。しかし、水系のインク組成物（以下、単に「インク」ともいう。）は、保存している間に微生物が増殖する場合がある。インク中で微生物が増殖すると、インクのｐＨが低下したり、インク成分の沈降等が発生し、インクの劣化やノズルの目詰まりを引き起こすおそれがある。このため、インクの防腐性について種々の検討がなされており、環境配慮の点から、殺生物性の防腐剤を使用せずにインクに防腐性能を持たせることが待ち望まれている。
【０００３】
そこで、例えば、殺生物性の防腐剤を使用する代わりに、ビニルフェノール系樹脂を添加することにより、インクに防腐性をもたせることが検討されている（例えば、特許文献１−３参照。）。また、インクに添加するカチオン性ポリマーラテックスの１成分として、生物活性要素（抗菌剤や防腐剤の分子）を組み込んだ非溶解性の樹脂粒子を添加する技術がある（例えば、特許文献４参照。）。
【先行技術文献】
【特許文献】
【０００４】
【特許文献１】特開２０１４−１６７０６９号公報
【特許文献２】特開２０１５−１６０８８１号公報
【特許文献３】特開２０１０−１９５９７２号公報
【特許文献４】特表２０１０−５０１６７２号公報
【発明の概要】
【発明が解決しようとする課題】
【０００５】
しかしながら、上記文献に記載の非水溶性のビニルフェノール系樹脂を、そのまま水系のインク組成物に用いることができない。また、水系のインク組成物中では防腐性が低下するためビニルフェノール系樹脂の含有量を増やす必要があり、インク粘度が高くなるため、インクジェット記録用のインクとして適さない。
【０００６】
本発明に係る幾つかの態様は、上述の課題の少なくとも一部を解決することで、殺生物性の防腐剤の使用量を低減させた場合であってもインクに防腐性能を持たせたインクジェット記録用水系インク組成物および色材液を提供することにある。
【課題を解決するための手段】
【０００７】
本発明は、上記課題の少なくとも一部を解決するためになされたものであり、以下の態様または適用例として実現することができる。
【０００８】
［適用例１］
本発明に係るインクジェット記録用水系インク組成物の一態様は、
フェノール骨格を有するビニルモノマーと、前記フェノール骨格を有するビニルモノマー以外の水溶性ビニルモノマーとを構成単位に含む水溶性樹脂と、
水溶性有機溶剤と、
水と、を含むことを特徴とする。
【０００９】
上記適用例によれば、水溶性樹脂が、フェノール骨格を有するビニルモノマーと、前記フェノール骨格を有するビニルモノマー以外の水溶性ビニルモノマーとの共重合により得られるため、得られた樹脂は防腐機能を持つフェノール部分と水溶性部分との両方を有する。このため、殺生物性の防腐剤の使用量を低減させた場合であっても、インクに防腐性能を持たせたインクジェット記録用水系インク組成物を提供することができる。また、この樹脂は、水溶性ビニルモノマーを構成単位に含むため、ル樹脂のフェノール性水酸基を中和することなく水に可溶化でき、樹脂の防腐性を損なうことなく添加することができる。
【００１０】
［適用例２］
上記適用例において、
さらに色材を含み、
前記色材は、顔料および染料からなる群より選択される少なくとも１種であることができる。
【００１１】
上記適用例によれば、色材として顔料および染料からなる群より選択される少なくとも１種を含むインクジェット記録用水系インク組成物においても、殺生物性の防腐剤の使用量を低減させた場合にもインクに防腐性能を持たせたインクジェット記録用水系インク組成物を提供することができる。
【００１２】
［適用例３］
上記適用例において、
前記水溶性有機溶剤は、水−オクタノール分配係数が０．５以上２．５以下であることができる。
【００１３】
上記適用例によれば、水溶性有機溶剤の水−オクタノール分配係数が０．５以上２．５以下であることにより、水溶性樹脂の添加量を上げることなく、インクに防腐性能を持たせることができる。このため、インクの粘度をインクジェット記録に適した粘度とすることができる。さらに、材料の分散安定性が得られる。
【００１４】
［適用例４］
上記適用例において、
前記インクジェット記録用水系インク組成物中の遊離１価アルカリ金属イオン量が、フェノール骨格を有するビニルモノマー含有量に対して２５ｍｏｌ％以下であることができる。
【００１５】
上記適用例によれば、遊離１価アルカリ金属量が、フェノール骨格を有するビニルモノマー含有量に対して２５ｍｏｌ％以下であることにより、水溶性樹脂のフェノール性水酸基の中和が回避され、インクの防腐性能を維持することができる。
【００１６】
［適用例５］
上記適用例において、
ｐＨが７．０以上１０．０以下であることができる。
【００１７】
上記適用例によれば、ｐＨが７．０以上１０．０以下であることにより、水溶性樹脂のフェノール性水酸基の意図しない中和を回避して、インクの防腐性能を維持することができる。
【００１８】
［適用例６］
上記適用例において、
前記水溶性樹脂の含有量が、ビニルフェノールモノマー換算で０．００５質量％以上１．０質量％以下であることができる。
【００１９】
上記適用例によれば、水溶性樹脂の含有量が、ビニルフェノールモノマー換算で０．００５質量％以上１．０質量％以下であることにより、十分にインクに防腐性能を持たせることができる。
【００２０】
［適用例７］
上記適用例において、
前記水溶性有機溶剤の含有量が、１０．０質量％以下であることができる。
【００２１】
上記適用例によれば、水溶性有機溶剤の含有量が、１０．０質量％以下であることにより、インクの粘度をインクジェット記録に適した粘度とすることができ、また、材料の分散安定性が得られる。
【００２２】
［適用例８］
上記適用例において、
前記水溶性樹脂以外の殺生物性の抗菌剤または防かび剤を、１質量％を超えて含まないことが好ましい。
【００２３】
上記適用例によれば、殺生物性の抗菌剤または防かび剤を、１質量％を超えて含まない場合であっても、十分にインクに防腐性能を持たせることができる。
【００２４】
［適用例９］
本発明に係る色材液の一態様は、
フェノール骨格を有するビニルモノマーと、前記フェノール骨格を有するビニルモノマー以外の水溶性ビニルモノマーとを構成単位に含む水溶性樹脂と、
水溶性有機溶剤と、
水と、
色材と、を含むことを特徴とする。
【００２５】
上記適用例によれば、水溶性樹脂が、フェノール骨格を有するビニルモノマーと、前記フェノール骨格を有するビニルモノマー以外の水溶性ビニルモノマーとの共重合により得られるため、得られた樹脂は防腐機能を持つフェノール部分と水溶性部分との両方を有する。このため、殺生物性の防腐剤の使用量を低減させた場合であっても、色材液に防腐性能を持たせた色材液を提供することができる。また、この樹脂は、水溶性ビニルモノマーを構成単位に含むため、樹脂のフェノール性水酸基を中和することなく水に可溶化でき、樹脂の防腐性を損なうことなく色材液に添加することができる。
【発明を実施するための形態】
【００２６】
以下に本発明の好適な実施形態について説明する。以下に説明する実施形態は、本発明の一例を説明するものである。また、本発明は、以下の実施形態に限定されるものではなく、本発明の要旨を変更しない範囲において実施される各種の変形例も含む。
【００２７】
１．インクジェット記録用水系インク組成物および色材液
本発明の一実施形態に係るインクジェット記録用水系インク組成物（以下、「インク」ともいう。）および色材液は、フェノール骨格を有するビニルモノマーと、前記フェノール骨格を有するビニルモノマー以外の水溶性ビニルモノマーとを構成単位に含む水溶性樹脂と、水溶性有機溶剤と、水と、を含むことを特徴とする。以下、本実施形態に係るイン
クジェット記録用水系インク組成物および色材液に含まれる成分、および含まれ得る成分について説明する。
【００２８】
なお、本実施形態において、色材液はインクの原料液として用いられるものであり、そのまま、もしくは適宜水や溶媒、その他の添加剤を加えて混合することにより、インクとすることができる。このため、以下では、主にインクジェット記録用水系インク組成物を例に挙げて説明する。
【００２９】
１．１．水溶性樹脂
本実施形態に係るインクジェット記録用水系インク組成物は、フェノール骨格を有するビニルモノマーと、前記フェノール骨格を有するビニルモノマー以外の水溶性ビニルモノマーとを構成単位に含む水溶性樹脂を含む。
【００３０】
本実施形態に係るインクジェット記録用水系インク組成物は、水溶性樹脂が、フェノール骨格を有するビニルモノマーと、前記フェノール骨格を有するビニルモノマー以外の水溶性ビニルモノマーとの共重合により得られるため、得られた樹脂は防腐機能を持つフェノール部分と水溶性部分との両方を有する。このため、殺生物性の防腐剤の使用量を低減させた場合であっても、インクに防腐性能を持たせたインクジェット記録用水系インク組成物を提供することができる。また、この水溶性樹脂は、水溶性ビニルモノマーを構成単位に含むため、樹脂のフェノール性水酸基を中和することなく水に可溶化でき、樹脂の防腐性を損なうことなく、インクに添加することができる。このため、この樹脂をインクに添加しても、インクジェット記録の際の吐出が安定する。
【００３１】
ここで、本実施形態において、水溶性樹脂とは、ｐＨが７．０以上１０．０以下の中性〜弱アリカリ性水に、２５℃で水１００質量％に対して２質量％以上溶解する樹脂を指す。
【００３２】
上記水溶性樹脂を構成する、フェノール骨格を有するビニルモノマーとしては、例えば、ｏ−ビニルフェノール、ｍ−ビニルフェノール、ｐ−ビニルフェノール、ヒドロキシ−α−メチルスチレン、メタクリル酸−４−ヒドロキシフェニル、ｐ−ヒドロキシ−２−メチルアクリルアニリド、アクリル酸−４−ヒドロキシフェニル、ｐ−ヒドロキシけい皮アルコール等が挙げられる。
【００３３】
また、上記フェノール骨格を有するビニルモノマー以外の水溶性ビニルモノマーとしては、アニオン系の水溶性ビニルモノマーとしては、例えば、アクリル酸、メタクリル酸、無水マレイン酸、ビニルスルホン酸、ｐ−トルエンスルホン酸等が挙げられる。ノニオン系の水溶性ビニルモノマーとしては、例えば、ヒドロキシエチルメタクリレート、アクリルアミド、Ｎ−ビニルピロリドン、ヒドロキシエチルアクリルアミド、アリルアルコール、グリセリンモノアリルエーテル、ポリ（エチレングリコール）メチルエーテルメタクリレート等が挙げられる。両イオン性系の水溶性ビニルモノマーとしては、例えば、２−メタクリロイルオキシエチルホスホリルコリン、３−［［２−（メタクリロイルオキシ）エチル］ジメチルアンモニオ]プロピオナート等が挙げられる。
【００３４】
本実施形態に係るインクジェット記録用水系インク組成物では、上記のフェノール骨格を有するビニルモノマーと、フェノール骨格を有するビニルモノマー以外の水溶性ビニルモノマーとを、従来公知の方法によって重合させることにより、フェノール骨格を有するビニルモノマーと、前記フェノール骨格を有するビニルモノマー以外の水溶性ビニルモノマーとを構成単位に含む水溶性樹脂を得ることができる。
【００３５】
上記の水溶性樹脂は、１種単独で用いてもよいし、２種以上混合して用いてもよい。
【００３６】
また、上記の水溶性樹脂の添加は、インクジェット記録用水系インク組成物の総質量（１００質量％）に対して、ビニルフェノールモノマー換算で、好ましくは０．００５質量％以上１．０質量％以下であり、より好ましくは０．０１質量％以上０．９質量％以下であり、さらに好ましくは０．１質量％以上０．７５質量％以下である。水溶性樹脂の含有量が上記範囲内であることにより、更にインクに防腐性能を持たせることができるとともに、インクの粘度を適度インクジェット記録に適した粘度とすることができ、インクジェット記録の際の吐出が安定する。
【００３７】
１．２．水溶性有機溶剤
本実施形態に係るインクジェット記録用水系インク組成物は、水溶性有機溶剤を含有する。
【００３８】
本実施形態に係るインクジェット記録用水系インク組成物で用いる水溶性有機溶剤としては、水−オクタノール分配係数が０．５以上２．５以下であることが好ましい。水溶性有機溶剤として、水−オクタノール分配係数が０．５以上２．５以下であることにより、上記の水溶性樹脂の添加量を上げることなく、インクに防腐性能を持たせることができる。このため、インクの粘度をインクジェット記録に適した粘度とすることができる。さらに、樹脂や顔料等の材料の分散安定性が得られる。
【００３９】
ここで、水−オクタノール分配係数、つまりｌｏｇＰ値とは、ＯＥＣＤ  Ｔｅｓｔ  Ｇｕｉｄｅｌｉｎｅ  １０７で定義される値をいう。ｌｏｇＰ値は、高いほど疎水性が高く、低いほど親水性が高いことを示す。水−オクタノール分配係数が０．５以上２．５以下である水溶性有機溶剤は、水溶性有機溶剤それ自体も防腐性能を有する。
【００４０】
本実施形態に係るインクジェット記録用水系インク組成物において、水溶性有機溶剤の水−オクタノール分配係数は、好ましくは０．６以上２．０以下であり、より好ましくは０．７以上１．７以下である。水−オクタノール分配係数が前記範囲である場合には、インクジェット記録用水系インク組成物の防腐性能と、吐出安定性を十分に確保することができる。
【００４１】
水−オクタノール分配係数が０．５以上２．５以下の水溶性有機溶剤としては、特に限定されないが、ブチルトリグリコール（ｌｏｇＰ：０．５）、ブチルジグリコール（ｌｏｇＰ：０．５６）、３−ブトキシ−１，２−プロパンジオール（ｌｏｇＰ：０．５９）、ジプロピレングリコ−ルモノプロピルエーテル（ｌｏｇＰ：０．６０）、１−プロピル−２−ピロリドン（ｌｏｇＰ：０．６７）、３−ブトキシ−Ｎ，Ｎ−ジメチルプロパンアミド（ｌｏｇＰ：０．８６）、１，２−ヘキサンジオール（ｌｏｇＰ：０．７０、トリトリメチロールプロパン（ｌｏｇＰ：０．９７）、１，２−ヘプタンジオール（ｌｏｇＰ：１．０）、３−（ヘキシルオキシ）−１，２−プロパンジオール（ｌｏｇＰ：１．３６）、ジエチレングリコール−２−エチルヘキシルエーテル（ｌｏｇＰ：２．４）、エチルヘキシルグリセリン（ｌｏｇＰ：２．５）等が挙げられる。これらの溶剤は、１種単独で用いてもよいし、２種以上混合して用いてもよい。これらの中でも、少量で防腐性能を確保できることから、特に、トリトリメチロールプロパン、３−ブトキシ−１，２−プロパンジオールや３−（ヘキシルオキシ）−１，２−プロパンジオールを用いることが好ましい。
【００４２】
水−オクタノール分配係数が０．５以上２．５以下の水溶性有機溶剤の含有量は、他の成分との相溶性や吐出安定性、保存安定性および防腐性能の確保の観点から、インクジェット記録用水系インク組成物の総量（１００質量％）に対して、１０．０質量％以下であることが好ましく、より好ましくは５．０質量％以下であり、さらに好ましくは２．０質量％以下である。また、水−オクタノール分配係数が０．５以上２．５以下の水溶性有機
溶剤の含有量の下限値は、好ましくは０．１質量％以上であり、より好ましくは０．４質量％以上である。
【００４３】
１．３．水
本実施形態に係るインクジェット記録用水系インク組成物は、水を含む。水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、インクジェット記録用水系インク組成物を長期保存する場合に細菌類や真菌類の発生を防止することができる。
【００４４】
水の含有量は、インクジェット記録用水系インク組成物の総量（１００質量％）に対して、好ましくは４０質量％以上であり、より好ましくは４５質量％以上であり、さらに好ましくは５０質量％以上である。水の含有量が４０質量％以上であることにより、インクジェット記録用水系インク組成物が比較的低粘度となる。また、水の含有量が４０質量％以上であることにより、上記水溶性有機溶剤との相溶性が向上し、インクジェット記録用水系インク組成物の安定性が向上する。また、水の含有量の上限は、インクジェット記録用水系インク組成物の総量に対して、好ましくは９０質量％以下であり、より好ましくは８５質量％以下であり、さらに好ましくは８０質量％以下である。
【００４５】
１．４．色材
本実施形態に係るインクジェット記録用水系インク組成物は、色材を含んでもよい。色材としては、顔料および染料のいずれも用いることができる。
【００４６】
顔料としては、例えば、無機顔料、有機顔料等があげられる。無機顔料としては、特に限定されないが、例えば、ファーネスブラック、ランプブラック、アセチレンブラック、チャネルブラック等のカーボンブラック（Ｃ．Ｉ．ピグメントブラック７）類、酸化鉄、酸化チタン、酸化亜鉛、シリカ等が挙げられる。
【００４７】
有機顔料としては、特に限定されないが、例えば、キナクリドン系顔料、キナクリドンキノン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料、及びアゾ系顔料等が挙げられる。
【００４８】
上記顔料は、水溶性樹脂、水分散性樹脂や界面活性剤から選ばれる分散剤を用いて顔料分散して用いてもよく、あるいはオゾン、次亜塩素酸、発煙硫酸等により、顔料表面を酸化、あるいはスルホン化して自己分散顔料として用いてもよい。
【００４９】
上記顔料は、１種単独で用いても２種以上を併用してもよい。
【００５０】
染料としては、特に限定されないが、例えば、水溶解系としては、酸性染料、直接染料、反応性染料、及び塩基性染料が挙げられ、水分散系としては、分散染料、油溶染料等が挙げられる。より具体的には、酸性染料としては、例えば、Ｃ．Ｉ．アシッドイエロー１７、２３、４２、４４、７９、１４２、Ｃ．Ｉ．アシッドレッド５２、８０、８２、２４９、２５４、２８９、Ｃ．Ｉ．アシッドブルー９、４５、２４９、Ｃ．Ｉ．アシッドブラック１、２、２４、９４等、直接染料としては、例えば、Ｃ．Ｉ．ダイレクトイエロー１、１２、２４、３３、５０、５５、５８、８６、１３２、１４２、１４４、１７３、Ｃ．Ｉ．ダイレクトレッド１、４、９、８０、８１、２２５、２２７、Ｃ．Ｉ．ダイレクトブルー１、２、１５、７１、８６、８７、９８、１６５、１９９、２０２、Ｃ．Ｉ．ダイレ
クトブラック１９、３８、５１、７１、１５４、１６８、１９５、Ｃ．Ｉ．ダイレクトブルー２、３、８、１０、１２、３１、３５、６３、１１６、１３０、１４９、１９９、２３０、２３１等、反応性染料としては、例えば、Ｃ．Ｉ．リアクティブイエロー２、７、１５、２２、３７、４２、５７、６９、７６、８１、９５、１０２、１２５、１３５、Ｃ．Ｉ．リアクティブレッド２、１４、２４、３２、５５、７９、１０６、１１１、１２４、Ｃ．Ｉ．リアクティブブルー２、１３、２１、３８、４１、５０、６９、７２、１０９、１２０、１４３、Ｃ．Ｉ．リアクティブブラック３、４、５、８、１３、１４、３１、３４、３５、３９等、塩基性染料としては、例えば、Ｃ．Ｉ．ベーシックイエロー１、２、１３、１９、２１、２５、３２、３６、４０、５１、Ｃ．Ｉ．ベーシックレッド１、５、１２、１９、２２、２９、３７、３９、９２、Ｃ．Ｉ．ベーシックブルー１、３、９、１１、１６、１７、２４、２８、４１、４５、５４、６５、６６、Ｃ．Ｉ．ベーシックブラック２、８等、分散染料としては、例えば、Ｃ．Ｉ．ディスパースレッド６０、８２、８６、８６：１、１６７：１、２７９、Ｃ．Ｉ．ディスパースイエロー６４、７１、８６、１１４、１５３、２３３、２４５、Ｃ．Ｉ．ディスパースブルー２７、６０、７３、７７、７７：１、８７、２５７、３６７、Ｃ．Ｉ．ディスパースバイオレット２６、３３、３６、５７、Ｃ．Ｉ．ディスパースオレンジ３０、４１、６１等、油溶染料としては、例えば、Ｃ．Ｉ．ソルベントイエロー１６、２１、２５、２９、３３、５１、５６、８２、８８、８９、１５０、１６３、Ｃ．Ｉ．ソルベントレッド７、８、１８、２４、２７、４９、１０９、１２２、１２５、１２７、１３０、１３２、１３５、２１８、２２５、２３０、Ｃ．Ｉ．ソルベントブルー１４、２５、３５、３８、４８、６７、６８、７０、１３２、Ｃ．Ｉ．ソルベントブラック３、５、７、２７、２８、２９、３４等が挙げられる。
【００５１】
染料は１種単独で用いてもよく、２種以上を併用してもよい。さらに、染料と顔料を混合して用いてもよい。
【００５２】
色材の含有量は、用途に応じて適宜調整することができるが、インクジェット記録用水系インク組成物の総量（１００質量％）に対して、好ましくは０．１０質量％以上２０．０質量％以下であり、より好ましくは０．２０質量％以上１５．０質量％以下であり、さらに好ましくは１．０質量％以上１０．０質量％以下である。
【００５３】
１．５．保湿剤
本実施形態に係るインクジェット記録用水系インク組成物は、保湿剤（湿潤剤）をさらに含むことができる。保湿剤としては、一般にインクジェット記録用インク組成物に用いられるものであれば、特に限定されず使用可能である。保湿剤の標準沸点は、好ましくは１８０℃以上であり、蒸発乾燥型インクに用いるインクジェット記録用水系インク組成物では標準沸点範囲１８０℃以上２５０℃以下であることがより好ましく、浸透乾燥型インクに用いるインクジェット記録用水系インク組成物では２００℃以上であることがより好ましい。標準沸点が上記範囲内であることにより、インク組成物に良好な保水性及び湿潤性を付与することができる。
【００５４】
上記保湿剤としては、特に限定されないが、例えば、ジエチレングリコール、トリエチレングリコール、テトラエチレングリコール、ペンタメチレングリコール、トリメチレングリコール、２−ブテン−１，４−ジオール、２−エチル−１，３−ヘキサンジオール、２−メチル−２，４−ペンタンジオール、トリプロピレングリコール、イソブチレングリコール、グリセリン、ジグリセリン、メソエリスリトール、トリメチロールプロパン、ジトリメチロールプロパン、ペンタエリスリトール、ジペンタエリスリトールなどのポリオール類、２−ピロリドン、ε−カプロラクタム等のラクタム類、尿素、チオ尿素、エチレン尿素、１，３−ジメチルイミダゾリジノン類等の尿素誘導体、グルコース、マンノース、フルクトース、リボース、キシロース、アラビノース、ガラクトース、アルドン酸、グルシトール（ソルビット）、マルトース、セロビオース、ラクトース、スクロース、トレ
ハロース、マルトトリオース等の単糖類、二糖類、オリゴ糖類及び多糖類及びこれらの糖類の誘導体、グリシン、トリメチルグリシンのベタイン類等が挙げられる。これらの中でも、特に、トリメチルグリシン、２−ピロリドン、尿素を用いることが好ましい。
【００５５】
保湿剤は、１種単独で用いてもよいし、２種以上混合して用いてもよい。
【００５６】
保湿剤の含有量は、用途に応じて適宜調整することができるが、本実施形態に係るインクジェット記録用水系インク組成物の総量（１００質量％）に対して、好ましくは５．０質量％以上３０質量％以下であり、より好ましくは１０質量％以上２５質量％以下であり、さらに好ましくは１５質量％以上２０質量％以下である。
【００５７】
１．６．表面張力調整剤
本実施形態に係るインクジェット記録用水系インク組成物は、表面張力調整剤をさらに含むことができる。表面張力調整剤は、水溶解時に表面張力を低下させてインクの印刷用基材、吐出流路や吐出ヘッドに対する濡れ性を調整するために用いられる。本実施形態において、表面張力調整剤は、低表面張力性の水溶性溶剤および界面活性剤から選ばれる。
【００５８】
低表面張力性の水溶性溶剤としては、特に限定されないが、例えば、エタノール、プロパノール、ブタノールなどの低級アルコール類、ブチレングリコール、１，３−ペンタンジオール、２−エチル−１，３−プロパンジオール、１，６−ヘキサンジオール等のジオール類、エチレングリコールモノメチルエーテル、エチレングリコールモノエチルエーテル、ジエチレングリコールモノメチルエーテル、ジエチレングリコールモノエチルエーテル、プロピレングリコールモノメチルエーテル等のグリコールモノエーテル類が用いられる。界面活性剤系としては、特に限定されないが、例えば、ノニオン系界面活性剤、アニオン系界面活性剤、カチオン系界面活性剤、両性界面活性剤から適宜選択することができる。特に、界面活性が高く、気泡性の少ないアセチレングリコール系界面活性剤、シリコーン系界面活性剤を用いることが好ましい。
【００５９】
アセチレングリコール系界面活性剤としては、特に限定されないが、例えば、オルフィンＥ１００４、Ｅ１０１０、Ｅ１０２０、ＰＤ−００１、ＰＤ−００２Ｗ、ＰＤ−００４、ＰＤ−００５、ＥＸＰ．４２００、ＥＸＰ．４１２３、ＥＸＰ．４３００（以上、いずれも日信化学工業株式会社製商品名）、サーフィノール４４０、４６５、４８５、ＣＴ１１１、ＣＴ１２１、ＴＧ、ＧＡ、ダイノール６０４、６０７、オルフィン１０４シリーズやオルフィンＥ１０１０等のＥシリーズ（以上、いずれもエアープロダクツジャパン社（Ａｉｒ  Ｐｒｏｄｕｃｔｓ  Ｊａｐａｎ，  Ｉｎｃ．）製商品名）、アセチレノールＥ４０、Ｅ６０、Ｅ１００（以上、いずれも川研ファインケミカル株式会社製商品名）等が挙げられる。アセチレングリコール系界面活性剤は、１種単独で使用してもよいし、２種以上を併用してもよい。
【００６０】
シリコーン系界面活性剤としては、ポリシロキサン系化合物、ポリエーテル変性オルガノシロキサン等が挙げられる。シリコーン系界面活性剤の市販品としては、特に限定されないが、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、（以上商品名、信越化学株式会社製）、シルフェイスＳＡＧ００２、００５、５０３Ａ、００８（以上商品名、日信化学工業株式会社製）等が挙げられる。
【００６１】
表面張力調整剤の含有量は、本実施形態に係るインクジェット記録用水系インク組成物の総量（１００質量％）に対して、好ましくは０．１０質量％以上２．５質量％以下であり、より好ましくは０．２０質量％以上１．５質量％以下であり、さらに好ましくは０．４０質量％以上１．２５質量％以下である。表面張力調整剤の含有量が上記範囲内であることにより、インクジェット記録用水系インク組成物の記録媒体に対する濡れ性を適切に調整することができる。
【００６２】
１．７．ｐＨ調整剤
本実施形態に係るインクジェット記録用水系インク組成物は、インクのｐＨを調整する目的で、ｐＨ調整剤をさらに含むことができる。ｐＨ調整剤としては、特に限定されないが、例えば、有機塩基としてトリエタノールアミン、ジエタノールアミン、モノエタノールアミン、トリイソプロパノールアミン、ジイソプロパノールアミン、トリスヒドロキシメチルアミノメタン、有機酸としてアジピン酸、クエン酸、コハク酸、乳酸等が挙げられる。
【００６３】
ｐＨ調整剤は、１種単独で用いてもよいし、２種以上混合して用いてもよい。
【００６４】
ｐＨ調整剤の含有量は適宜調整することができるが、好ましくはインクｐＨ７．０以上１０．０以下になるように添加することができる。
【００６５】
１．８．定着樹脂
本実施形態に係るインクジェット記録用水系インク組成物は、定着樹脂を含むことができる。定着樹脂は、主に色材が顔料の場合に添加し、記録媒体に対する顔料の定着性を向上するために用いる。
【００６６】
定着樹脂としては、特に限定されないが、例えば、水溶性樹脂、水分散性樹脂のいずれも用いることができ、具体的には、アクリル系重合体、例えば、ポリアクリル酸エステル若しくはその共重合体、ポリメタクリル酸エステル若しくはその共重合体、ポリアクリロニトリル若しくはその共重合体、ポリシアノアクリレート、ポリアクリルアミド、ポリアクリル酸、またはポリメタクリル酸；ポリオレフィン系重合体、例えば、ポリエチレン、ポリプロピレン、ポリブテン、ポリイソブチレン、ポリスチレン若しくはそれらの共重合体、石油樹脂、クマロン・インデン樹脂、またはテルペン樹脂；酢酸ビニル・ビニルアルコール系重合体、例えば、ポリ酢酸ビニル若しくはその共重合体、ポリビニルアルコール、ポリビニルアセタール、またはポリビニルエーテル；含ハロゲン系重合体、例えば、ポリ塩化ビニル若しくはその共重合体、ポリ塩化ビニリデン、含窒素ビニル系重合体、例えば、ポリビニルカルバゾール、ポリビニルピロリドン若しくはその共重合体、ポリビニルピリジン、またはポリビニルイミダゾール；ジエン系重合体、例えば、ポリブタジエン若しくはその共重合体、ポリクロロプレン、またはポリイソプレン（ブチルゴム）；あるいはその他の開環重合型樹脂、縮合重合型樹脂、または天然高分子樹脂等を用いることができる。
【００６７】
定着樹脂は、１種単独で用いてもよいし、２種以上混合して用いてもよい。
【００６８】
定着樹脂の含有量は、用途に応じて適宜調整することができるが、インクジェット記録用水系インク組成物の総量に対して、好ましくは１．５質量％以上５質量％以下である。定着樹脂の含有量が上記範囲内であることにより、記録媒体に対する顔料の密着性が向上する。
【００６９】
１．９．その他の成分
本実施形態に係るインクジェット記録用水系インク組成物は、その保存安定性及びヘッ
ドからの吐出安定性を良好に維持したり、目詰まり改善のために、又はインクジェット記録用水系インク組成物の劣化を防止するために、溶解助剤、粘度調整剤、酸化防止剤、及び分散に影響を与える金属イオンを捕獲するためのキレート化剤等の、種々の添加剤を適宜添加することもできる。
【００７０】
なお、本実施形態に係るインクジェット記録用水系インク組成物は、上記のフェノール骨格を有するビニルモノマーと、前記フェノール骨格を有するビニルモノマー以外の水溶性ビニルモノマーとを構成単位に含む水溶性樹脂を含むことにより、殺生物性の防腐剤を別に使用しなくても、インクに防腐性能を持たせることができる。したがって、従来の水系インク組成物で使用されているような、殺生物性の抗菌剤、殺菌剤、防かび剤、防腐剤等を、１質量％を超えて含む必要がない。
【００７１】
このような殺生物性の化合物としては、例えば、イソチアゾリン系の化合物としては、１，２−ベンゾイソチアゾリン−３−オン（ＢＩＴ）、３−メチル−４−イソチアゾリン−３−オン（ＭＩＴ）、５−クロロ−２−メチル−４−イソチアゾリン−３−オン（ＣＭＩ）、２−オクチル−４−イソチアゾリン−３−オン（ＯＩＴ）、４，５−ジクロロ−２−オクチル−４−イソチアゾリン−３−オン（２Ｃｌ―ＯＩＴ）等が挙げられる。フマル酸エステル系の化合物としては、フマル酸ジメチル（ＤＭＦ）、フマル酸ジエチル（ＤＥＦ）、フマル酸ジブチル（ＤＢＦ）等が挙げられる。その他、２−ブロモ−２−ニトロプロパン−１，３−ジオール（ブロノポール）、２，２−ジブロモ−３−ニトリルプロピオンアミド（ＤＢＮＰＡ）等が挙げられる。
【００７２】
１．１０．インクジェット記録用水系インク組成物の調製方法
本実施形態に係るインクジェット記録用水系インク組成物は、上記各成分を混合することにより調製することができる。混合方法としては、特に限定されず、従来公知の方法を用いることができる。また、本実施形態に係る色材液をインクジェット記録用水系インク組成物としてそのまま使用してもよいし、該色材液に適宜水や溶媒、その他の添加剤を加えて混合することにより本実施形態に係るインクジェット記録用水系インク組成物を調製してもよい。
【００７３】
１．１１．物性
本実施形態に係るインクジェット記録用水系インク組成物は、記録品質とインクジェット用インク組成物としての信頼性とのバランスの観点から、２０℃における表面張力が２０ｍＮ／ｍ以上５０ｍＮ／ｍであることが好ましく、２５ｍＮ／ｍ以上４０ｍＮ／ｍ以下であることがより好ましい。なお、表面張力の測定は、自動表面張力計ＣＢＶＰ−Ｚ（協和界面科学株式会社製）を用いて、２０℃の環境下で白金プレートをインクで濡らしたときの表面張力を確認することにより測定することができる。
【００７４】
また、同様の観点から、本実施形態に係るインクジェット記録用水系インク組成物の２０℃における粘度は、２ｍＰａ・ｓ以上３０ｍＰａ・ｓ以下であることが好ましく、２ｍＰａ・ｓ以上２０ｍＰａ・ｓ以下であることがより好ましい。なお、粘度の測定は、粘弾性試験機ＭＣＲ−３００（Ｐｙｓｉｃａ株式会社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。
【００７５】
さらに、本実施形態に係るインクジェット記録用水系インク組成物は、インク中の遊離１価アルカリ金属イオン量が、フェノール骨格を有するビニルモノマー含有量に対して２５ｍｏｌ％以下であることが好ましく、２４ｍｏｌ％以下であることがより好ましく、２２ｍｏｌ％以下であることがさらに好ましい。インク中の遊離１価アルカリ金属イオン量が前記範囲にあることにより、フェノール性水酸基の意図しない中和を回避して、インク
の防腐性能を維持することができる。なお、遊離１価アルカリ金属イオン量の測定は、ＪＩＳ  Ｋ０１２７：２０１３  イオンクロマトグラフィー通則にのっとり測定することができる。
【００７６】
また、本実施形態に係るインクジェット記録用水系インク組成物は、ｐＨは７．０以上１０．０以下であることが好ましく、ｐＨが７．５以上９．５以下であることがより好ましく、ｐＨは８．０以上９．０以下であることがさらに好ましい。本実施形態において、インクのｐＨが前記範囲であることにより、水溶性樹脂のフェノール性水酸基の意図しない中和を回避して、インクの防腐性能を維持することができる。
【００７７】
１．１２．用途
本実施形態に係るインクジェット記録用水系インク組成物は、公知のインクジェット記録装置のインクカートリッジに収容し、インクの液滴を吐出させ、紙等の記録媒体に該液滴を付着させて画像を記録する。インクジェット記録装置としては、電気信号に基づいて振動可能な電歪素子が搭載されると共に、前記電歪素子の振動によってインクを吐出することができるように構成されたインクジェット記録装置が好ましい。
【００７８】
インクジェット記録用水系インク組成物をノズルから吐出させる方式としては、例えば、ノズルとノズルの前方に置いた加速電極の間に強電界を印加し、ノズルから液滴状のインクを連続的に吐出させ、インクの液滴が偏向電極間を飛翔する間に記録情報信号に対応して吐出させる方式（静電吸引方式）；小型ポンプでインクに圧力を加え、ノズルを水晶振動子等で機械的に振動させることにより、強制的にインクの液滴を吐出させる方式；インクに圧電素子で圧力と記録情報信号を同時に加え、インクの液滴を吐出・記録させる方式（ピエゾ方式）；インクを記録情報信号にしたがって微小電極で加熱発泡させ、インクの液滴を吐出・記録させる方式（サーマルジェット方式）等が挙げられる。
【００７９】
インクジェットヘッドとしては、ライン式インクジェットヘッド、シリアル式インクジェットヘッドのいずれも使用可能である。
【００８０】
本実施形態において、印刷対象となる記録媒体は特に制限されず、種々の記録媒体に対して用いることが可能であり、インク吸収性の高い綿、絹、ポリエステル、ポリウレタン、ナイロン等の布地やインクジェット専用紙、中程度の吸収性の上質紙、コピー用紙だけでなく、低吸収性あるいは非吸収性の塗工紙やプラスチックフィルムにも用いることができる。
【００８１】
低吸収性記録媒体としては、特に限定されないが、例えば、表面に塗料を塗布して塗工層が設けられた塗工紙が挙げられる。塗工紙としては、特に限定されないが、例えば、アート紙、コート紙、マット紙等の印刷本紙が挙げられる。
【００８２】
非吸収性記録媒体としては、特に限定されないが、例えば、インク吸収層を有していないプラスチックフィルム、紙等の基材上にプラスチックがコーティングされているものやプラスチックフィルムが接着されているもの等が挙げられる。ここでいうプラスチックとしては、ポリ塩化ビニル、ポリエチレンテレフタレート、ポリカーボネート、ポリスチレン、ポリウレタン、ポリエチレン、ポリプロピレン等が挙げられる。
【００８３】
ここで、「低吸収性記録媒体」または「非吸収性記録媒体」は、ブリストー（Ｂｒｉｓｔｏｗ）法において接触開始から３０ｍｓｅｃまでの水吸収量が１０ｍＬ／ｍ２以下である被記録媒体をいう。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」
の規格Ｎｏ．５１「紙及び板紙−液体吸収性試験方法−ブリストー法」に述べられている。
【００８４】
本実施形態に係るインクジェット記録用水系インク組成物は、フェノール骨格を有するビニルモノマーと、フェノール骨格を有するビニルモノマー以外の水溶性ビニルモノマーとを構成単位に含む水溶性樹脂を含むことにより、殺生物性の防腐剤の使用量を低減させた場合であってもインクに防腐性能を持たせることができる。このため、このインクを用いてインクジェット記録を行っても、インクジェット記録の際や、記録で得られた画像から殺生物性の防腐剤が放出されることがなく、皮膚感作性のおそれがなく安全であり、また、環境に負荷を与えない。
【００８５】
２．実施例
以下、本発明を実施例および比較例によってさらに具体的に説明するが、本発明はこれらの実施例のみに限定されるものではない。
【００８６】
２．１．インクジェット記録用水系インク組成物の調製
各種評価を行う前に、まず、実施例及び比較例のインクジェット記録用水系インク組成物を調製する前に、下記の水溶性樹脂１〜３を調製した。材料は以下の表１に記載の通りである。
【００８７】
【表１】
2018162348.tif 000002
【００８８】
２．１．１．水溶性樹脂の調製
水溶性モノマーとしてポリ（エチレングリコール）メチルエーテルメタクリレート（エチレングリコール繰り返し単位４）  ２ｇ、フェノール骨格を有するビニルモノマーとしてｐ−ビニルフェノール  ０．４ｇをテトラヒドロフラン１０ｍｌに混合し、別に調整した２，２‘−アゾビス（イソブチロニトリル）  ０．１ｇを溶解したテトラヒドロフラン２ｍｌ溶液を加え、６０℃で４８時間反応させた。反応後、溶剤を減圧除去・乾燥して水溶性樹脂１を回収した。得られた樹脂のＧＰＣ測定を行った結果、数平均分子量は約３，０００であった。水溶性樹脂２、３についても、水溶性樹脂１と同様の方法で調製した。使用したモノマーは表１に記載の通りとした。
【００８９】
２．１．２．インクの調製
次に、得られた水溶性樹脂を用いて、各インクジェット記録用水系インク組成物を調製した。材料は以下の表２に記載の通りである。
【００９０】
【表２】
2018162348.tif 000003
【００９１】
＜実施例１＞
色材として別に調製したシアン顔料分散液（顔料濃度１５％）を２０ｇ、水溶性有機溶剤としてトリトリメチロールプロパン（ｌｏｇＰ：０．９７）  １．０ｇ、水溶性樹脂１
を０．６ｇ（ビニルフェノールモノマー換算で０．１２ｇ）、保湿剤としてトリメチルグリシン  １５ｇと２−ピロリドン  ５ｇ、表面張力調整剤としてシリコーン系界面活性剤
ＢＹＫ−３４９（商品名、ビックケミー・ジャパン株式会社製）  ０．５ｇとアセチレングリコール系界面活性剤としてサーフィノール４４０（商品名、Ａｉｒ  Ｐｒｏｄｕｃｔｓ  Ｊａｐａｎ，  Ｉｎｃ．製）  ０．２ｇ、ｐＨ調整剤としてトリエタノールアミン
０．３ｇを混合して、イオン交換水を加えて全量を１００ｇとした。孔径１．２μｍのメンブレンフィルターで濾過を行って、実施例１のインクとした。ｐＨメーターにてインクのｐＨを測定した結果、ｐＨ８．７であった。
【００９２】
得られた実施例１のインクを１０，０００ｒｐｍ×１時間の超遠心分離、続いて孔径０．２μｍのシリンジフィルターで濾過し、遊離の遊離１価アルカリ金属イオン量をＪＩＳ
Ｋ０１２７：２０１３  イオンクロマトグラフィー通則にのっとり定量した。遊離の遊離１価アルカリ金属イオン量は、３３ｐｐｍであった。この量は、水溶性樹脂１のビニルフェノールモノマーに対して、２３ｍｏｌ％であった。
【００９３】
＜実施例２、３＞
実施例２、３については、表２の配合および実施例１と同様の方法で調製し、実施例２、３のインクとした。
【００９４】
＜比較例１＞
実施例１に対し、水溶性樹脂と水溶性有機溶剤を純水に置き換えて比較例１のインクとした。
【００９５】
＜比較例２＞
実施例２に対し、水溶性樹脂と水溶性有機溶剤を配合せず、水溶性樹脂の代わりにポリビニルフェノールを添加して比較例２のインクとした。ただし、ポリビニルフェノールは水に溶解しないため、水酸化カリウムを添加して中和することでポリビニルフェノールを溶解させた。
【００９６】
＜参考例１＞
実施例１に対し、水溶性樹脂と水溶性有機溶剤を純水に置き換えて、かつ殺生物性防腐剤のプロキセルＸＬ２を添加して参考例１のインクとした。
【００９７】
なお、表２で使用した成分のうち、オルフィンＥ１０１０（商品名、Ａｉｒ  Ｐｒｏｄｕｃｔｓ  Ｊａｐａｎ，  Ｉｎｃ．製）は、アセチレングリコール系界面活性剤である。
【００９８】
２．２．インクの評価
２．２．１．防腐試験
実施例および比較例で得られた各インク中に、各供試菌（細菌類および真菌類）を約１０５ＣＦＵ／ｇとなるように接種し、２５℃で２４時間放置した後の生菌数を測定し、以下の評価基準に基づいて評価した。
（供試菌種）
大腸菌（Escherichia coli）、緑膿菌（Pseudomonas aeruginosa）、コウジカビ（Aspergillus oryzae）、アオカビ（Penicillium  funiculosum）
（評価基準）
初期：  １００，０００ＣＦＵ／ｇ
Ａ：１００ＣＦＵ／ｇ未満
Ｂ：１００ＣＦＵ／ｇ以上１，０００ＣＦＵ／ｇ未満
Ｃ：１，０００ＣＦＵ／ｇ以上１０，０００ＣＦＵ／ｇ未満
Ｄ：１０，０００ＣＦＵ／ｇ以上
【００９９】
２．２．２．吐出安定性試験
インクジェット方式のプリンターＥＭ―９３０Ｃ（商品名、セイコーエプソン株式会社製）に実施例および比較例で得られた各インクを充填し、吐出ヘッドを吸引キャップから外して１日放置した。放置後にクリーニング１回行って、全ノズルを吐出しながら２０頁連続印刷して、印刷抜け、曲がりのノズル本数を以下の基準に基づいて判定した。
（評価基準）
Ａ：抜け、曲がりが０ノズル
Ｂ：抜け、曲がりが１〜５ノズル
Ｃ：抜け、曲がりが６ノズル以上
【０１００】
評価試験の結果を下記表３に示す。
【０１０１】
【表３】
2018162348.tif 000004
【０１０２】
実施例１、２、３はいずれも防腐性と吐出安定性が両立できていた。これに対し、比較例１では、水溶性樹脂も水溶性有機溶剤も含まないため防腐性が得られなかった。また、比較例２では、防腐性、吐出安定性ともに不足していた。これは、水溶性樹脂の代わりにビニルモノマー単独からなるポリビニルフェノールを添加しているが、使用したポリビニルフェノールは水不溶のため、水酸化カリウム中和で水溶解させており、フェノール性水酸基がアルカリ金属イオンで中和されて防腐性が無くなるため、結果的にインクの防腐性が得られなかったと推測される。さらに、ポリビニルフェノールを水溶解させるためには強いアルカリ性が必要であるが、比較例２の添加量では溶解性が不十分であり、溶解が不十分なゲル状分によってノズル詰まりが発生し、吐出が安定しなかったと推測される。
【０１０３】
参考例１は、殺生物性の防腐剤を添加しているため防腐性効果が得られていた。また、比較例２の様な溶解力不足もないので、吐出安定性に問題も出ない。しかし、参考例１では殺生物性の防腐剤が必須であり、本発明の目的である、殺生物性の防腐剤の使用量を低減させた場合であっても防腐性能を持たせたインクとすることはできなかった。
【０１０４】
以上示したように、本発明によれば、既存の殺生物性の抗菌剤や防かび剤などの防腐剤の使用量を低減させた場合であってもインクの防腐性を得ることができ、かつ、吐出安定性に優れたインクを得ることができた。
【０１０５】
本発明は、前述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。